(57)【要約】【課題】静電容量検出用電極の断線が検知可能なパワーウィンドウ、および、そのようなパワーウィンドウ用の窓ガラスを実現する。【解決手段】静電容量を利用した挟み込み検出信号に基づいて人体の挟み込みを回避しつつ窓枠で形成される開口部を閉じた位置と開いた位置の間で窓ガラスを往復させるパワーウィンドウは、窓枠で形成される開口部を閉じたときに窓枠に接近する窓ガラス部分の端面から窓枠で形成される開口部を閉じたときでも窓枠外に留まる窓ガラス部分の側面にわたって連続的に設けられた静電容量検出用の電極(320)を有する窓ガラス(102)と、前記電極を通じて検出された静電容量に基づいて前記電極の断線を検知する断線検知手段(300)を具備する。【選択図】図１２
2008291492.tif 000002
【特許請求の範囲】
【請求項１】
静電容量を利用した挟み込み検出信号に基づいて人体の挟み込みを回避しつつ窓枠で形成される開口部を閉じた位置と開いた位置の間で窓ガラスを往復させるパワーウィンドウであって、
窓枠で形成される開口部を閉じたときに窓枠に接近する窓ガラス部分の端面から窓枠で形成される開口部を閉じたときでも窓枠外に留まる窓ガラス部分の側面にわたって連続的に設けられた静電容量検出用の電極を有する窓ガラスと、
前記電極を通じて検出された静電容量に基づいて前記電極の断線を検知する断線検知手段
を具備することを特徴とするパワーウィンドウ。
【請求項２】
前記側面の電極は、前記端面の電極の長さ以上の長さを持つ
ことを特徴とする請求項１に記載のパワーウィンドウ。
【請求項３】
前記側面の電極は、窓枠で形成される開口部を閉じたときでも窓枠外に留まる窓ガラス部分の両側面に設けられる
ことを特徴とする請求項１に記載のパワーウィンドウ。
【請求項４】
前記端面の電極は、窓枠で形成される開口部を閉じたときでも窓枠外に留まる窓ガラス部分の最奥の端面を経由して前記側面の電極と連続する
ことを特徴とする請求項１に記載のないし請求項３のうちのいずれか１つに記載のパワーウィンドウ。
【請求項５】
静電容量を利用した挟み込み検出信号に基づいて人体の挟み込みを回避しつつ窓枠で形成される開口部を閉じた位置と開いた位置の間で窓ガラスを往復させるパワーウィンドウ用の窓ガラスであって、
窓枠で形成される開口部を閉じたときに窓枠に接近する窓ガラス部分の端面から窓枠で形成される開口部を閉じたときでも窓枠外に留まる窓ガラス部分の側面にわたって連続的に設けられた静電容量検出用の電極
を具備することを特徴とする窓ガラス。
【請求項６】
前記側面の電極は、前記端面の電極の長さ以上の長さを持つ
ことを特徴とする請求項５に記載の窓ガラス。
【請求項７】
前記側面の電極は、窓枠で形成される開口部を閉じたときでも窓枠外に留まる窓ガラス部分の両側面に設けられる
ことを特徴とする請求項５に記載の窓ガラス。
【請求項８】
前記端面の電極は、窓枠で形成される開口部を閉じたときでも窓枠外に留まる窓ガラス部分の最奥の端面を経由して前記側面の電極と連続する
ことを特徴とする請求項５に記載のないし請求項７のうちのいずれか１つに記載の窓ガラス。
【発明の詳細な説明】
【技術分野】
【０００１】
本発明は、パワーウィンドウおよび窓ガラスに関し、とくに、静電容量を利用した挟み込み検出信号に基づいて人体の挟み込みを回避しつつ窓枠で形成される開口部を閉じた位置と開いた位置の間で窓ガラスを往復させるパワーウィンドウ、および、そのようなパワーウィンドウ用の窓ガラスに関する。
【背景技術】
【０００２】
車両等のパワーウィンドウは、ウィンドウレギュレータによって窓枠で形成される開口部を閉じた位置と開いた位置の間で窓ガラスを往復させるように構成されている。ウィンドウレギュレータについては、搭乗者の身体等が窓ガラスで挟まれるのを防止するための制御が行われる。
【０００３】
そのような制御の一手法として、窓ガラスと窓枠の間の静電容量を利用して人体の接触を検出し、挟み込みを回避するようにしたものがある。人体接触の有無の判定は、静電容量の値を所定の閾値と比較することによって行われる（例えば、特許文献１参照）。
【特許文献１】特開平１０−１１０５７４号公報
【発明の開示】
【発明が解決しようとする課題】
【０００４】
静電容量検出用の電極は、窓ガラスの端面に沿って連続的に設けられる。このような電極は、窓ガラスの最も外側に位置するので、磨耗等による断線が生じやすい。電極が断線すると、静電容量検出が正しく行えなくなるので、挟み込み回避に支障をきたす。
【０００５】
そこで、本発明の課題は、静電容量検出用電極の断線が検知可能なパワーウィンドウ、および、そのようなパワーウィンドウ用の窓ガラスを実現することである。
【課題を解決するための手段】
【０００６】
上記の課題を解決するための請求項１に係る発明は、静電容量を利用した挟み込み検出信号に基づいて人体の挟み込みを回避しつつ窓枠で形成される開口部を閉じた位置と開いた位置の間で窓ガラスを往復させるパワーウィンドウであって、窓枠で形成される開口部を閉じたときに窓枠に接近する窓ガラス部分の端面から窓枠で形成される開口部を閉じたときでも窓枠外に留まる窓ガラス部分の側面にわたって連続的に設けられた静電容量検出用の電極を有する窓ガラスと、前記電極を通じて検出された静電容量に基づいて前記電極の断線を検知する断線検知手段を具備することを特徴とするパワーウィンドウである。
【０００７】
上記の課題を解決するための請求項２に係る発明は、前記側面の電極は、前記端面の電極の長さ以上の長さを持つことを特徴とする請求項１に記載のパワーウィンドウである。
上記の課題を解決するための請求項３に係る発明は、前記側面の電極は、窓枠で形成される開口部を閉じたときでも窓枠外に留まる窓ガラス部分の両側面に設けられることを特徴とする請求項１に記載のパワーウィンドウである。
【０００８】
上記の課題を解決するための請求項４に係る発明は、前記端面の電極は、窓枠で形成される開口部を閉じたときでも窓枠外に留まる窓ガラス部分の最奥の端面を経由して前記側面の電極と連続することを特徴とする請求項１に記載のないし請求項３のうちのいずれか１つに記載のパワーウィンドウ。
【０００９】
である。
上記の課題を解決するための請求項５に係る発明は、静電容量を利用した挟み込み検出信号に基づいて人体の挟み込みを回避しつつ窓枠で形成される開口部を閉じた位置と開いた位置の間で窓ガラスを往復させるパワーウィンドウ用の窓ガラスであって、窓枠で形成される開口部を閉じたときに窓枠に接近する窓ガラス部分の端面から窓枠で形成される開口部を閉じたときでも窓枠外に留まる窓ガラス部分の側面にわたって連続的に設けられた静電容量検出用の電極を具備することを特徴とする窓ガラスである。
【００１０】
上記の課題を解決するための請求項６に係る発明は、前記側面の電極は、前記端面の電極の長さ以上の長さを持つことを特徴とする請求項５に記載の窓ガラスである。
上記の課題を解決するための請求項７に係る発明は、前記側面の電極は、窓枠で形成される開口部を閉じたときでも窓枠外に留まる窓ガラス部分の両側面に設けられることを特徴とする請求項５に記載の窓ガラスである。
【００１１】
上記の課題を解決するための請求項８に係る発明は、前記端面の電極は、窓枠で形成される開口部を閉じたときでも窓枠外に留まる窓ガラス部分の最奥の端面を経由して前記側面の電極と連続することを特徴とする請求項５に記載のないし請求項７のうちのいずれか１つに記載の窓ガラスである。
【発明の効果】
【００１２】
請求項１に係る発明によれば、静電容量を利用した挟み込み検出信号に基づいて人体の挟み込みを回避しつつ窓枠で形成される開口部を閉じた位置と開いた位置の間で窓ガラスを往復させるパワーウィンドウは、窓枠で形成される開口部を閉じたときに窓枠に接近する窓ガラス部分の端面から窓枠で形成される開口部を閉じたときでも窓枠外に留まる窓ガラス部分の側面にわたって連続的に設けられた静電容量検出用の電極を有する窓ガラスと、前記電極を通じて検出された静電容量に基づいて前記電極の断線を検知する断線検知手段を具備するので、静電容量検出用電極の断線が検知可能なパワーウィンドウを実現することができる。
【００１３】
請求項５に係る発明によれば、静電容量を利用した挟み込み検出信号に基づいて人体の挟み込みを回避しつつ窓枠で形成される開口部を閉じた位置と開いた位置の間で窓ガラスを往復させるパワーウィンドウ用の窓ガラスは、窓枠で形成される開口部を閉じたときに窓枠に接近する窓ガラス部分の端面から窓枠で形成される開口部を閉じたときでも窓枠外に留まる窓ガラス部分の側面にわたって連続的に設けられた静電容量検出用の電極を具備するので、静電容量検出用電極の断線が検知可能なパワーウィンドウ用の窓ガラスを実現することができる。
【００１４】
請求項２または請求項６に係る発明によれば、前記側面の電極は、前記端面の電極の長さ以上の長さを持つので、端面の電極の断線による静電容量の変化を顕著にすることができる。
【００１５】
請求項３または請求項７に係る発明によれば、前記側面の電極は、窓枠で形成される開口部を閉じたときでも窓枠外に留まる窓ガラス部分の両側面に設けられるので、端面の電極の断線による静電容量の変化を顕著にすることができる。
【００１６】
請求項４または請求項８に係る発明によれば、前記端面の電極は、窓枠で形成される開口部を閉じたときでも窓枠外に留まる窓ガラス部分の最奥の端面を経由して前記側面の電極と連続するので、ガラスランによる側面の電極の磨耗を回避することができる。
【発明を実施するための最良の形態】
【００１７】
以下、図面を参照して発明を実施するための最良の形態を詳細に説明する。なお、本発明は、発明を実施するための最良の形態に限定されるものではない。図１に、パワーウィンドウの一例のブロック図を示す。本パワーウィンドウは、発明を実施するための最良の形態の一例である。本パワーウィンドウの構成によって、パワーウィンドウに関する発明を実施するための最良の形態の一例が示される。
【００１８】
図１に示すように、パワーウィンドウは、ウィンドウ１００、ウィンドウレギュレータ２００および制御装置３００によって構成される。
ウィンドウ１００は窓ガラス１０２を有する。ウィンドウレギュレータ２００はモータ２０２と昇降機構２０４を有し、モータ２０２により昇降機構２０４を介して窓ガラス１０２を昇降させるようになっている。制御装置３００は、ウィンドウレギュレータ２００による窓ガラス１０２の昇降を制御する。
【００１９】
制御装置３００はＣＰＵ３０２を有する。ＣＰＵ３０２は制御装置３００の中枢であり、所定のプログラムに基づいてウィンドウレギュレータ２００を制御する。ＣＰＵ３０２はメモリ３１２を有し、プログラム実行の過程で適宜データの書込および読出を行う。
【００２０】
ＣＰＵ３０２は、モータ駆動回路３０４を介してモータ２０２を制御する。モータ２０２の回転量は、パルス発生器３０６とカウンタ３０８を通じてＣＰＵ３０２にフィードバックされる。ＣＰＵ３０２は、カウンタ３０８計数値に基づいて窓ガラス位置を認識する。窓ガラス１０２には電極３２０が設けられている。電極３２０の静電容量が静電容量検出部３３０によって検出され、静電容量検出信号がＣＰＵ３０２に入力される。
【００２１】
複数のパワーウィンドウを有する車両では、ウィンドウ１００とウィンドウレギュレータ２００からなる系統は複数系設けられ、それに対応して、パルス発生器３０６、カウンタ３０８および静電容量検出部３３０も複数系統設けられる。図１では、そのうちの１系統だけを示す。ＣＰＵ３０２は、ウィンドウとウィンドウレギュレータの複数系統について、窓ガラス１０２の昇降を個々に制御する。
【００２２】
ＣＰＵ３０２には、スイッチ３１０を通じて窓ガラス昇降指令が入力される。スイッチ３１０の操作は使用者によって行われる。オートモードでは、スイッチ３１０のワンタッチ操作により窓ガラスの上昇または下降が行われる。マニュアルモードでは、スイッチ３１０を投入している間だけ窓ガラスの上昇または下降が行われる。
【００２３】
スイッチ３１０は、複数のウィンドウに対応した複数のスイッチを有する。それらのスイッチは運転席の近傍に集中的に設けられ、複数のウィンドウのどれもが運転席から開閉できるようになっている。
【００２４】
図２に、このようなパワーウィンドウを備えた車両用ドアの一例を示す。ここでは、セダン形車両の前部ドアの例を示すが、他のドアも基本的には同様な構成となっている。車両用ドアは、ドア本体１１０の上部がウィンドウ１００となっている。ウィンドウ１００は、ドア本体１１０側から昇降する窓ガラス１０２により窓枠１０４で形成される開口部を開閉する構造となっている。窓ガラス１０２を昇降させるウィンドウレギュレータ２００とその制御装置３００はドア本体１１０内に設けられる。
【００２５】
窓枠１０４は、上枠１０４ａ、前枠１０４ｂおよび後枠１０４ｃを有する。上枠１０４ａは概ね水平になっている。前枠１０４ｂは概ね前下がりに傾斜している。後枠１０４ｃは概ね垂直になっている。窓ガラス１０２の電極３２０は、例えば、上枠１０４ａおよび前後枠１０４ｂ，１０４ｃに対応する三辺にかけて設けられる。
【００２６】
図３に、窓ガラス１０２における電極３２０の配置を示す。図３に示すように、電極３２０は、窓ガラス１０２の上辺から前後辺にかけて、それらの端面に連続的に設けられる。電極３２０は、例えば導電材料等を用いて構成される。電極３２０に対応する窓枠側の電極は、窓枠のガラスランの中に設けられる。
【００２７】
なお、図３においては、電極３２０は、挟み込み検出に関わる部分だけについて示す。電極３２０は、このほかに、挟み込み検出には関わらない延長部分を有する。この延長部分の構成と作用については、後にあらためて説明する。
【００２８】
図４に、窓ガラス側電極と窓枠側電極の具体的配置の一例を示す。図４に示すように、窓枠１０４には、車外側にサイドバイザ１４８が設けられ、それよりも内側にガラスラン１４４が設けられる。ガラスラン１４４には、２つの垂下部分のうちの車内側の先端部に電極１４６が埋設される。以下、電極１４６を窓枠電極ともいう。
【００２９】
窓ガラス１０２の端面には、電極３２０が設けられる。電極３２０は、挟み込み検出用の窓ガラス側の電極であり、窓枠電極１４６との間の静電量Ｃｘが挟み込み検出に利用される。以下、電極３２０を窓ガラス側電極ともいう。
【００３０】
窓枠電極１４６はグラウンド電位にあるので、静電容量ｃｘはグラウンドに対する静電容量となる。グラウンドに対する静電容量は、電極３２０に例えば搭乗者の手や指等の人体が触れたときに増大する。
【００３１】
これは、図５に等価回路で示すように、電極３２０の静電容量ｃｘに人体の静電容量ｃｘ’が並列接続されるためである。電極３２０の静電容量ｃｘは例えば８０ｐＦ程度であり、人体の静電容量ｃｘ’は例えば４００ｐＦ程度であるので、等価回路の静電容量は大幅に増大することになる。このような静電容量の変化が人体の接触の検出に利用される。
【００３２】
図６に、静電容量の変化を検出する回路の一例を示す。本回路は、静電容量検出部３３０の主要部を構成する。図６に示すように、本回路は、差動増幅器３３２を用いて構成される。差動増幅器３３２には例えばＶＣ＝＋５Ｖ、ＶＥ＝０Ｖの片極性の直流電源が供給されている。
【００３３】
差動増幅器３３２は、非反転入力端子とグラウンドの間にキャパシタｃｘと抵抗Ｒｘが並列に接続され、反転入力端子とグラウンドの間にキャパシタｃｉが並列に接続され、反転入力端子と出力端子が抵抗Ｒｆで接続されている。
【００３４】
キャパシタｃｘは窓ガラスの電極３２０の静電容量ｃｘである。キャパシタｃｉは、補償用のキャパシタであり、人体等が接触しないときの電極３２０の静電容量に相当する静電容量を持つものである。抵抗Ｒｘは抵抗Ｒｆと値が等しい。
【００３５】
このような差動増幅器３３２の非反転入力端子および反転入力端子に、電圧発生器３３４の電圧Ｖｉが、抵抗Ｒｉ＋およびＲｉ−を通じてそれぞれ入力される。抵抗Ｒｉ＋およびＲｉ−は値が等しい。
【００３６】
差動増幅器３３２は、非反転入力端子の電圧Ｖ＋と反転入力端子の電圧Ｖ−の差を増幅率Ｒｆ／Ｒｉで増幅した電圧を出力する。この電圧が抵抗ＲｏとキャパシタＣｏからなる平滑回路で平滑されて出力電圧Ｖｏとなる。出力電圧Ｖｏは静電容量検出信号としてＣＰＵ３０２に入力される。
【００３７】
図７および図８に、電圧Ｖｉ、Ｖ−、Ｖ＋およびＶｏの波形の一例を示す。両図に示すように、電圧Ｖｉは単極性の定周期の矩形波パルスである。電圧Ｖ−およびＶ＋は、それぞれ、電圧ＶｉによるキャパシタＣｉおよびＣｘの充電電圧となる。電圧ＶｏはＶ＋とＶ−の差の増幅値を平滑したものとなる。
【００３８】
図７は窓ガラスの電極３２０に対して人体等の接触がない場合であり、キャパシタＣｘとＣｉの静電容量に差がないことにより、電圧Ｖ＋およびＶ−は波形も振幅も同一となり、それらの差を増幅および平滑して得られる電圧Ｖｏは０Ｖとなる。
【００３９】
図８は窓ガラスの電極３２０に対して人体等の接触がある場合であり、キャパシタＣｘの静電容量の増加により電圧Ｖ＋の波形や振幅が変わるので、Ｖ＋とＶ−の差を増幅かつ平滑して得られる電圧Ｖｏは０Ｖから増加したものとなる。増加量はキャパシタＣｘの静電容量の増加に対応する。
【００４０】
図９に、窓ガラス１０２の昇降過程を示す。図９に示すように、窓ガラス１０２は（ａ）、（ｂ）、（ｃ）、（ｄ）、（ｅ）の順に上昇する。下降はこの逆順になる。（ａ）は窓ガラス１０２が下死点にある状態を示し、（ｅ）は上死点にある状態を示す。（ｂ）、（ｃ）、（ｄ）は途中の状態を示す。
【００４１】
各状態についてさらに説明すれば、（ａ）はパワーウィンドウの全開状態（下死点）である。（ｂ）は窓ガラス１０２が上昇し始めた状態である。この状態では、窓ガラス１０２の上辺および後辺がそれぞれ上枠１０４ａおよび前枠１０４ｂに対して隙間を生じている。なお、窓ガラス１０２の前辺は昇降の全過程を通じて後枠１０４ｃの中にある。
【００４２】
（ｃ）は窓ガラス１０２の上辺および後辺がそれぞれ上枠１０４ａおよび前枠１０４ｂに接近した状態である。（ｄ）は窓ガラス１０２の上辺および後辺がそれぞれ上枠１０４ａおよび前枠１０４ｂに進入し始める状態である。（ｅ）は窓ガラス１０２の上辺および後辺がそれぞれ上枠１０４ａおよび前枠１０４ｂに完全に進入した状態である。これはパワーウィンドウの全閉状態（上死点）である。
【００４３】
（ｄ）および（ｅ）の状態をさらに詳細に示せば、例えば図１０のようになり、（ｄ）の状態では、窓ガラス１０２の上辺および後辺が上枠１０４ａおよび前枠１０４ｂのガラスラン１４４に接触し、（ｅ）の状態では、窓ガラス１０２の上辺および後辺が上枠１０４ａおよび前枠１０４ｂのガラスラン１４４内に完全に進入する。ガラスラン１４４は例えばゴムやプラスチック等の絶縁材料で構成される。
【００４４】
図１１に、窓ガラス１０２の昇降に伴う静電容量検出信号の変化を示す。図１１は、窓ガラス位置を横軸とし静電容量検出信号の信号強度を縦軸とするグラフである。横軸の各所に付した符号ａ−ｅは、図９に示した窓ガラス位置（ａ）−（ｅ）に対応する。以下、窓ガラスをガラスともいい、窓ガラス位置をガラス位置ともいう。また、静電容量検出信号を単に静電容量あるいは検出信号ともいう。
【００４５】
検出信号は、位置ａからｃまでは信号強度が小さく変化の少ないものとなる。これは電極３２０と窓枠１０４との間に十分な間隔があるためである。位置ｃからｄまでは信号強度が急増する信号となる。これは電極３２０が窓枠１０４に入り込むためである。位置ｄからｅまでは信号強度が大きく変化の少ない信号となる。これは電極３２０が窓枠１０４に完全に入り込んだためである。
【００４６】
このような検出信号について、人体の接触ないし挟み込みの有無を判定するための閾値が設定されている。閾値としては、窓ガラス１０２が窓枠に入り込まないときの検出信号強度より大きく、窓ガラス１０２が窓枠に入り込んだときの検出信号強度より小さく、かつ、一点鎖線で示すような人体接触等による検出信号の増加を確実に判別できる値が、例えば破線で示すように設定される。閾値はガラス位置ごとに設定するようにしてもよい。閾値はメモリ３１２に記憶され、ＣＰＵ３０２による挟み込み判定に利用される。ＣＰＵ３０２は、挟み込みと判定したとき窓ガラス１０２を降下させて挟み込みを回避させる。
【００４７】
以上は、挟み込み回避の基本動作であるが、本装置は、電極３２０の断線を検知するための仕組みを備えている。以下に、それについて説明する。
図１２に、窓ガラス１０２への電極３２０の取付けの一例を示す。電極３２０が取り付けられた窓ガラス１０２は、発明を実施するための最良の形態の一例である。窓ガラス１０２の構成によって、窓ガラスに関する発明を実施するための最良の形態の一例が示される。
【００４８】
図１２に示すように、電極３２０は、窓ガラス１０２の前辺から上辺を経て後辺まで、それらの端面に連続的に設けられ、さらにその先の延長部が、窓ガラス１０２の下部の側面に沿って設けられている。延長部は、窓枠で形成される開口部を閉じたときでも窓枠外に留まる窓ガラス部分に設けられる。この部分は、破線で示すベルトライン以下の部分に相当する。
【００４９】
窓ガラス１０２の前辺、上辺および後辺の端面は、窓枠で形成される開口部を閉じたときに窓枠に接近する部分であり、挟み込みが発生し得る部分である。電極３２０は、これらの部分における挟み込みの検出に関与する。これに対して、電極３２０の延長部分は、ベルトライン以下に位置するので挟み込みの検出には関与しない。
【００５０】
以下、電極３２０のうち、挟み込み検出に関わる部分を検出電極３２０ａと呼び、挟み込み検出に関わらない延長部分を延長電極３２０ｂと呼ぶ。電極３２０の全長に占める延長電極３２０ｂの長さの比は、０．５以上となっている。すなわち、延長電極３２０ｂは、検出電極３２０ａの長さ以上の長さを有する。逆に言えば、検出電極３２０ａは、電極３２０の全長に占める長さの比が０．５以下であり、延長電極３２０ｂの長さ以下の長さを有する。
【００５１】
このような二部分構成の電極３２０の、検出電極３２０ａ側の始端に、ハーネス３２２を通じて制御装置３００に接続される。制御装置３００においては、静電容量検出部３３０が電極３２０の静電容量を検出し、その検出信号に基づいてＣＰＵ３０２が挟み込みの有無を判定する。
【００５２】
挟み込みが発生しないときの静電容量は、電極３２０の長さで決まる。どこにも断線が発生しないときは、電極３２０の長さは正規の長さであり、静電容量も正規の値となる。これに対して、どこかが断線したときは、電極３２０の有効長はそこまでとなり、正規の長さよりも短くなるので、静電容量が減少する。
【００５３】
断線が検出電極３２０ａにおいて発生すると、静電容量は正規の値の１／２以下に減少する。これは、電極３２０の全長の１／２以下の長さしかない検出電極３２０ａがさらに短くなるためである。ＣＰＵ３０２は、このような静電容量の変化に基づいて、電極３２０の断線を検知する。断線時の静電容量が、正規の値の１／２以下と顕著に変化するので、断線検知は高い確度で行われる。検知された断線は、適宜の方法で搭乗者に報知される。静電容量検出部３３０およびＣＰＵ３０２からなる部分は、本発明における断線検知手段の一例である。
【００５４】
断線が延長電極３２０ｂで発生すると、静電容量の変化は検出電極３２０ａが断線したときよりも小さくなるので、相対的に検知しにくくなる。延長電極３２０ｂが断線しやすいのは、電極３２０の取り付けが窓ガラス１０２の端面から側面に移行する部分である。
【００５５】
図１３に、電極３２０の取り付けが端面から側面に移行する部分の構成の一例を示す。図１３の（ａ）は側面図、（ｂ）はガラスランを含めた移行部分のＢＢ断面図である。（ｂ）に示すように、電極３２０の表面に、ガラスラン１４４のリップが接触する。このため、窓ガラス１０２が昇降するたびに電極３２０が擦られ、次第に磨耗して断線に至るおそれがある。
【００５６】
図１４に、その事態が生じないようにした構成の一例を示す。図１４の（ａ）は側面図、（ｂ）はＡＡ断面図である。（ａ）に示すように、端面から側面への取り付けの移行は窓ガラス１０２の最下端部を過ぎたところで行われる。このようにすれば、（ｂ）に示すように、電極３２０はガラスラン１４４のリップと接触しなくなり、磨耗による断線を避けることができる。
【００５７】
図１５に、窓ガラス１０２の側面への延長電極３２０ｂの取り付けの他の例を示す。図１５の（ａ）は側面図、（ｂ）は後面図である。図１５に示すように、延長電極３２０ｂは、並列な２つの延長電極３２０ｂ１，３２０ｂ２で構成され、一方は窓ガラス１０２の表面に設けられ、他方は裏面に設けられる。
【００５８】
このようにしたとき、延長電極３２０ｂ全体としての有効長は、２つの延長電極３２０ｂ１，３２０ｂ２の長さの和となるので、個々の延長電極３２０ｂ１，３２０ｂ２の長さは、延長電極３２０の必要長の半分とすることができる。このような構成は、窓ガラス１０２のベルトライン以下の面積が小さい場合に効果を発揮する。
【００５９】
以上は、窓ガラスが上下に昇降するパワーウィンドウの例であるが、パワーウィンドウは、窓ガラスが水平方向に往復するものであっても良い。その場合、ベルトラインという概念は無くなるが、ベルトライン以下の窓ガラス部分は、窓枠で形成される開口部を閉じたときでも窓枠外に留まる窓ガラス部分がそれに相当する。また、窓ガラスの最下端は、窓枠で形成される開口部を閉じたときでも窓枠外に留まる窓ガラス部分の最奥の端面に相当する。
【図面の簡単な説明】
【００６０】
【図１】本発明を実施するための最良の形態の一例のウィンドウレギュレータ制御装置を使用するパワーウィンドウのブロック図である。
【図２】本発明を実施するための最良の形態の一例のウィンドウレギュレータ制御装置を使用するパワーウィンドウの構成を示す図である。
【図３】窓ガラスにおける電極の配置を示す図である。
【図４】窓ガラスと窓枠における電極の具体的配置の一例を示す図である。
【図５】電極の静電容量を示す等価回路図である。
【図６】静電容量検出部の主要部の回路図である。
【図７】静電容量検出部の主要部の回路中の電圧波形を示す図である。
【図８】静電容量検出部の主要部の回路中の電圧波形を示す図である。
【図９】窓ガラスの昇降状態を示す図である。
【図１０】窓ガラスとガラスランの関係を示す図である。
【図１１】窓ガラス位置と静電容量検出信号の関係を示す図である。
【図１２】窓ガラスへの電極の取付けの一例を示す図である。
【図１３】電極の取り付けが端面から側面に移行する部分の構成の一例を示す図である。
【図１４】電極の磨耗が生じないようにした構成の一例を示す図である。
【図１５】窓ガラスの側面への延長電極の取り付けの他の例を示す図である。
【符号の説明】
【００６１】
１００ ： ウィンドウ
１０２ ： 窓ガラス
１０４ ： 窓枠
１０４ａ ： 上枠
１０４ｂ ： 前枠
１０４ｃ ： 後枠
１１０ ： ドア本体
１４４ ： ガラスラン
１４６ ： 窓枠電極
１４８ ： サイドバイザ
２００ ： ウィンドウレギュレータ
２０２ ： モータ
２０４ ： 昇降機構
３００ ： 制御装置
３０２ ： ＣＰＵ
３０４ ： モータ駆動回路
３０６ ： パルス発生器
３０８ ： カウンタ
３１０ ： スイッチ
３１２ ： メモリ
３２０ ： 電極
３２０ａ ： 検出電極
３２０ｂ ： 延長電極
３２２ ： ハーネス
３３０ ： 静電容量検出部
３３２ ： 差動増幅器
３３４ ： 電圧発生器
【図１】
2008291492.tif 000003
【図２】
2008291492.tif 000004
【図３】
2008291492.tif 000005
【図４】
2008291492.tif 000006
【図５】
2008291492.tif 000007
【図６】
2008291492.tif 000008
【図７】
2008291492.tif 000009
【図８】
2008291492.tif 000010
【図９】
2008291492.tif 000011
【図１０】
2008291492.tif 000012
【図１１】
2008291492.tif 000013
【図１２】
2008291492.tif 000014
【図１３】
2008291492.tif 000015
【図１４】
2008291492.tif 000016
【図１５】
2008291492.tif 000017